(57)【要約】【解決手段】無線通信システムにおいて専用チャネルのための送信構成を決定するための方法および装置。一実施の形態において、最適な構成は、チャネルのピーク平均比（ＰＡＲ）を最小化することに基づいて決定される。構成は、送信ブランチおよび拡散コードの送信対として定義される。送信ブランチは同相（Ｉ）ブランチまたは直交（Ｑ）ブランチであってよい。ＰＡＲ解析は、最適な構成を決定するためにオフラインで実行してもよい。動作中、最適構成の拡散コードが他のチャネルにより使用されるなら、次の最適なコードが使用される。
2005518707.tif 000002
【特許請求の範囲】
【請求項１】
無線通信システムにおいて、下記を具備する方法：
第１チャネル上のピーク平均比（ＰＡＲ）の関数として前記第１チャネルのための送信構成を決定する、前記送信構成は、拡散コードおよび変調パスを含む；
前記拡散コードが前記無線通信システム内の他のチャネルにより使用されるなら、前記送信構成をＰＡＲの関数として更新する；および
前記送信構成を前記第１チャネルに適用する。
【請求項２】
前記変調パスは同相（Ｉ）ブランチおよび直交（Ｑ）ブランチから選択される、請求項１記載の方法。
【請求項３】
前記第１チャネルは、前記無線通信システム内のアップリンク上の専用物理チャネルである、請求項２記載の方法。
【請求項４】
前記無線通信システムは、複数の専用データチャネルおよび少なくとも１つの専用制御チャネルを含む請求項３の方法。
【請求項５】
下記を具備する無線通信装置：
第１チャネル上のピーク平均比（ＰＡＲ）の関数として前記第１チャネルのための送信構成を決定する手段、前記送信構成は、拡散コードおよび変調パスを含む；
前記拡散コードが前記無線通信システム内の他のチャネルにより使用されるなら、前記送信構成をＰＡＲの関数として更新する手段；および
前記送信構成を前記第１チャネルに適用する手段。
【請求項６】
下記を具備する無線装置：
ピーク平均比（ＰＡＲ）に基づいて、変調対を決定する変調対選択装置；および
前記変調対選択装置に接続され、前記変調対に基づいて変調パスを選択するセレクター。
【発明の詳細な説明】
【技術分野】
【０００１】
この発明は、無線通信システムにおける専用物理チャネルを提供するための方法および装置に関する。
【背景技術】
【０００２】
パケット化されたデータ通信をサポートする典型的な無線通信システムにおいて、移動受信器は、データパケットの受信をアクノレッジする送信器にフィードバックを供給する。フィードバックは、またダウンリンクと呼ばれる、送信器から受信器へのリンクのチャネル条件に関する情報を供給してもよい。フィードバックは次にアップリンク上に供給される。専用チャネルは、フィードバック情報の送信のために割り当てられる。通信システムのリソースは限られているので、アップリンクの使用を最適化することが望ましい。
【０００３】
それゆえ、無線通信システムのアップリンク上にフィードバック情報を供給する効率的で正確な方法の必要性がある。さらに、送信された信号のピーク平均比（ＰＡＲ）を最小にするようにフィードバック情報を送信する方法および装置の必要性がある。
【発明を実施するための最良の形態】
【０００４】
「典型的な」という語は、ここでは、もっぱら「例、事例、または図解の代わりになる」ことを意味するために使用される。「典型的な」としてここに記載されるいかなる実施の形態も、他の実施の形態に対して好適または有利であると必ずしも解釈されない。
【０００５】
ｃｄｍａ２０００システムのようなスペクトル。拡散無線通信システムにおいて、複数のユーザーは、同時に同じ帯域で、多くの場合、基地局であるトランシーバーに送信する。一実施の形態において、トランシーバーはノードＢと呼ばれ、ノードＢは、１つ以上のセルにおいて、ユーザー機器へのまたはユーザー機器からの無線送受信を担う論理ノードである。基地局は、無線チャネルまたは、例えば光ファイバーまたは同軸ケーブルを用いた有線チャネルを介して通信する任意のデータ装置であってよい。ユーザーは、ＰＣカード、コンパクトフラッシュ（登録商標）、外部または内部モデム、または無線または有線電話を含むがこれらに限定されない種々の移動機器および／または固定された機器のいずれかであってよい。ユーザーはまた遠隔局またはユーザー機器（ＵＥ）とも呼ばれる。代わりのスペクトル拡散システムは、第三世代パートナーシッププロジェクト、３ＧＰＰにより仕様が定められるようなパケット交換データサービスシステム、ワイドバンド−ＣＤＭＡシステム、Ｗ−ＣＤＭＡシステム、第三世代パートナーシッププロジェクト２、３ＧＰＰ２により仕様が定められるような音声およびデータシステムを含む。
【０００６】
典型的な実施の形態は、より明確な理解を与えるために以下の議論を介して与えられる。典型的な実施の形態は、技術仕様書３ＧＰＰ  ＴＳ  ２５．２１３  Ｖ３．７．０（２００１−１２）として同定される「第三世代パートナーシッププロジェクト；技術仕様書グループ無線アクセスネットワーク；拡散および変調（ＦＤＤ）（１９９９年発表）に定義されるシステムと一致する。
【０００７】
図１は、多数のユーザーをサポートし、ここに記載される実施の形態の少なくともいくつかの観点を実施することができる通信システム１００の一例である。種々のアルゴリズムおよび方法のいずれかを用いてシステム１００の送信をスケジュールしてもよい。システム１００は、多数のセル１０２Ａ−１０２Ｇに対して通信を提供する。各セルはそれぞれ、対応する基地局１０４Ａ−１０４Ｇにより情報が提供される。典型的な実施の形態において、いくつかの基地局１０４は複数の受信アンテナを有し、他の基地局は１つの受信アンテナしか有していない。同様にいくつかの基地局１０４は複数の送信アンテナを有し、他の基地局は１つの送信アンテナを有する。送信アンテナと受信アンテナの組み合わせに関して制限はない。それゆえ、基地局１０４が複数の送信アンテナと１つの受信アンテナを有したり、または複数の受信アンテナと１つの送信アンテナを有したり、または両方とも１つまたは複数の送信アンテナおよび受信アンテナを有することが可能である。
【０００８】
サービスエリア内の端末１０６は固定式であってもよいし（すなわち、静止）または移動式であってもよい。図１に示すように、種々の端末１０６がシステム全体にわたって分散されている。各端末１０６は、例えばソフトハンドオフが採用されているかどうかまたは、端末が複数の基地局からの複数の送信を（同時にまたは連続して）受信するように設計され動作するかどうかに応じて、いつなんどきでもダウンリンクおよびアップリンク上に少なくとも１つあるいは１つ以上の基地局１０４と通信する。
【０００９】
ダウンリンクは基地局１０４から端末１０６への送信を指し、アップリンクは、端末１０６から基地局１０４への送信を指す。典型的な実施の形態において、いくつかの端末１０６は複数の受信アンテナを有し、他の端末は１つの受信アンテナしか有していない。典型的な実施の形態において、いくつかの端末１０６は複数の受信アンテナを有し、他の端末は、１つの受信アンテナしか有していない。図１において、基地局１０４Ａは、データをダウンリンク上の端末１０６Ｂおよび１０６Ｊに送信し、基地局１０４Ｂは、データを端末１０６Ｂおよび１０６Ｊに送信し、基地局１０４Ｃはデータを端末１０６Ｃに送信する、等である。
【００１０】
一般に、広帯域技術において、全体の帯域幅は、各移動ユーザーに利用可能である。この帯域幅は、情報を送信するのに必要な帯域幅より数倍大きい。このようなシステムは一般にスペクトル拡散システムと呼ばれ、信号干渉を許容する能力を有する。典型的なシステムにおいて、搬送波信号は、コードビットレートが情報信号ビットレートより非常に大きいデジタルコードにより変調される。これらのシステムはまた擬似雑音（ＰＮ）システムとも呼ばれる。
【００１１】
典型的な実施の形態における信号の送信の場合、アップリンクとダウンリンクの両方とも、拡散は物理チャネルに適用され、拡散動作は、チャネル化(channelization)および
スクランブリングの２つの動作から構成される。チャネル化は、各データ記号を多数のチップ（またはビット）に変換し、信号の帯域幅を増大する。データ記号あたりのチップの数は拡散因子（ＳＦ）と呼ばれる。スクランブリング動作において、スクランブリングコードは、拡散信号に適用される。
【００１２】
チャネル化の場合、同相（Ｉ）ブランチおよび直交（Ｑ）ブランチ上のデータ記号は、直交可変拡散因子（ＯＶＳＦ）コードと独立に乗算される。スクランブリング動作の場合、ＩブランチおよびＱブランチ上の結果として生じる信号は、さらに複素値(complex-valued)スクランブリングコードにより乗算される。但し、ＩおよびＱはそれぞれ実数部および虚数部を示す。
【００１３】
図２は、典型的な無線通信システムにおける専用物理制御チャネル（ＤＰＣＣＨ）および専用物理データチャネル（ＤＰＤＣＨｓ）のアップリンク拡散を図解する。チャネル化の場合、ＤＰＣＣＨおよびＤＰＤＣＨｓは各々乗算器２０２の１つに供給され、チャネルに固有のコードも乗算器２０２の各々に適用される。各乗算器２０２の出力は、乗算器２０４の１つに供給される。重みは、乗算器から受信したチャネル化された値に対応する乗算器２０４の各々に適用される。乗算器２０４の出力、すなわち、重み付けされた、チャネル化された信号は、図示するように合計ノード２０６および２０８に供給される。合計ノードはＩブランチの一部であり、一方合計ノード２０８はＱブランチの一部である。合計ノード２０８の出力および複素乗算器ｊは乗算器２１０に供給される。次に、合計ノード２０６の出力、Ｉ成分、乗算器２１０の出力、およびＱ成分は、ノード２１２に供給され、チャネル化された信号の複素表示を形成する。ノード２１２の出力、Ｉ＋ｊＱは、スクランブリングコードの適用のために乗算器２１４に供給される。結果として生じる、重み付けされた、チャネル化された、スクランブルされた複素表示は乗算器２１４の出力として供給される。
【００１４】
典型的な実施の形態の動作において、拡散されるバイナリＤＰＣＣＨおよびＤＰＤＣＨｓは、実数値系列により表される。すなわち、バイナリ値「０」は実数値＋１にマッピングされ、バイナリ値「１」は実数値−１に表される。ＤＰＣＣＨは、チャネル化コードＣｃによりチップレートに拡散され、ＤＰＤＣＨnと呼ばれるｎ番目のＤＰＤＣＨはチャネル化コードＣd,nによりチップレートに拡散される。図２に図解する典型的な実施の形態において、１つのＤＰＣＣＨおよび６つまでの並列ＤＰＤＣＨｓは同時に送信してもよい、すなわち１≦ｎ≦６。
【００１５】
チャネル化の後、実数値拡散信号はＤＰＣＣＨに対する利得係数βcおよびすべてのＤＰＤＣＨｓに対する利得係数βdにより重み付けされる。各時刻において、値βcおよびβdの少なくとも１つは振幅１．０を有する。β値は４ビットワードに量子化される。利得パラメーターの量子化ステップは、表１に示される。
【表１】
2005518707.tif 000003
【００１６】
重み付けの後、ＩブランチとＱブランチ上の実数チップのストリーム(stream)は合計され、チップの複素値ストリームとして扱われる。次に、この複素値信号は複素値スクランブリングコードＳdpch,nによりスクランブルされる。スクランブリングコードは無線フレームに合わせて適用される。すなわち、第１のスクランブリングチップは無線フレームの開始に対応する。
【００１７】
図２の典型的な実施の形態において使用されるチャネル化コードは、ユーザーの異なる物理チャネル間の直交性を維持する直交可変拡散因子である。ＯＶＳＦコードは、図３に示されるコードツリーを用いて定義することができる。チャネル化コードは、Ｃch,SF,kとして一意的に記載される。ここでは、ＳＦはコードの拡散因子であり、ｋはコード番号、０≦ｋ≦ＳＦ−１である。コードツリー内の各レベルはＳＦの拡散因子に対応する長さＳＦのチャネル化コードを定義する。
【００１８】
チャネル化コードの発生方法は以下の式に与えられるように定義される。
【数１】
2005518707.tif 000004
【００１９】
各チャネル化コードワードの一番左の値は、時間的に最初に送信されたチップに相当する。
【００２０】
典型的な実施の形態において、ＤＰＣＣＨは、
【数２】
2005518707.tif 000005
【００２１】
として与えられるコードにより拡散される。この場合、２５６の合計利用可能コードがあり、制御チャネルＤＰＣＣＨは０により特定されるコードを使用する。
【００２２】
唯一のＤＰＤＣＨが送信されるとき、ＤＰＤＣＨ1は、
【数３】
2005518707.tif 000006
【００２３】
として与えられるコードにより拡散される。この場合、ＳＦはＤＰＤＣＨ1の拡散因子であり、ｋ＝ＳＦ／４である。２以上のＤＰＤＣＨが送信されるとき、すべてのＤＰＤＣＨｓは４に等しい拡散因子を有する。
【００２４】
ＤＰＤＣＨnは、
【数４】
2005518707.tif 000007
【００２５】
として与えられるコードにより拡散される。
【００２６】
この場合、ｎ∈｛１、２｝なら、ｋ＝１であり、ｎ∈｛３、４｝なら、ｋ＝３であり、ｎ∈｛５、６｝なら、ｋ＝２である。電力制御プリアンブルがデータチャネル（ＤＣＨ）をイニシャライズするために使用されるなら、電力制御プリアンブル期間中のＤＰＣＣＨのチャネル化コードは後で使用されるものと同じでなければならない。
【００２７】
すべてのアップリンク物理チャネルは複素値スクランブルコードを用いてスクランブルされる。ＤＰＣＣＨ／ＤＰＤＣＨは、長いスクランブルコードまたは短いスクランブルコードによりスクランブルされてもよい。２24の長いアップリンクスクランブルコードおよび２24の短いアップリンクスクランブルコードがある。アップリンクスクランブルコードは通信システムのより高次の層により割り当てられる。長いスクランブルコードは、構成要素である長い系列から構成され、構成要素である短い系列は短いスクランブルコードを構成するために使用される。
【００２８】
長いスクランブル系列Ｃlong,1,nおよびＣlong,2,nは、次数２５の２つの生成元多項式により生成される２つのバイナリｍ−系列の３８４００チップセグメントの位置に関して２を法とする合計から構成される。ｘおよびｙをそれぞれ２つのｍ−系列であるとする。ｘ系列は、原始（ＧＦ（２）を超える）多項式Ｘ25＋Ｘ3＋１を用いて構成される。ｙ系列は、多項式Ｘ25＋Ｘ3＋Ｘ2＋Ｘ＋１を用いて構成される。従って、その結果得られる系列は一組のゴールド系列のセグメントを構成する。
【００２９】
系列Ｃlong,2,nは、系列Ｃlong,1,nの１６７７７２３２チップずらしたバージョンである。ｎ23...ｎ0を、ｎ0が最下位ビットであるスクランブル系列番号ｎの２４ビットバイナリ表示であるとする。ｘ系列は、選択されたスクランブル系列番号ｎに依存し、結局ｘnで示される。さらに、ｘn(i)およびｙ(i)は、それぞれｘnおよびｙのｉ番目の記号を示すものとする。ｍ系列ｘnおよびｙは以下のように構成される。初期条件は、
【数５】
2005518707.tif 000008
【００３０】
として与えられる。それに続く記号の再帰的定義は
【数６】
2005518707.tif 000009
【００３１】
に従って実行される。
【００３２】
プロセスは、
【数７】
2005518707.tif 000010
【００３３】
によりバイナリゴールド系列ｚnを定義する。
【００３４】
実数値ゴールド系列Ｚnは
【数８】
2005518707.tif 000011
【００３５】
により定義される。
【００３６】
実数値の長いスクランブル系列Ｃlong,1,nおよびＣlong,2,nは、以下のように定義される。
【数９】
2005518707.tif 000012
【００３７】
最終的に、複素値の長いスクランブル系列Ｃlong,nは
【数１０】
2005518707.tif 000013
【００３８】
として定義される。但し、ｉ＝０，１，...２25−２であり、└ ┘はより低い整数に切り上げることを示す。
【００３９】
図４は、一実施の形態に従うアップリンクスクランブル系列生成元の構成を図解する。短いスクランブル系列Ｃshort,1,n(l)およびＣshort,2,n(l)は、周期的に拡張されるＳ（２）コードの群からの系列から定義される。ｎ23ｎ22...ｎ0をコード番号ｎの２４ビットバイナリ表示とする。ｎ番目の４変数Ｓ（２）系列ｚn(l)、０≦ｎ≦１６７７７２１５は、３つの系列、すなわち４変数系列ａ(l)および２つのバイナリ系列ｂ(l)およびｄ(l)の４を法とした加算により得られる。この場合、３つの系列の初期ローディング(loading)はコード番号ｎから決定される。長さ２５５の系列ｚn(i)は以下の関係に従って生成される。
【数１１】
2005518707.tif 000014
【００４０】
この場合、４変数系列ａ(i)は多項式により再帰的に生成される。
【数１２】
2005518707.tif 000015
【００４１】
およびバイナリ系列ｂ（ｉ）は多項式により再帰的に生成される。
【数１３】
2005518707.tif 000016
【００４２】
およびバイナリ系列ｄ（ｉ）は多項式により再帰的に生成される。
【数１４】
2005518707.tif 000017
【００４３】
系列ｚn(i)は、ｚn(255)＝ｚn(0)を設定することにより長さ２５６チップに拡張される。ｚn(i)から実数値バイナリ系列ｃshort,1,n(i)およびｃshort,2,n(i), i=0,1,...,255は表２に定義される。
【表２】
2005518707.tif 000018
【００４４】
最後に、複素値の短いスクランブル系列Ｃshort,nは以下のように定義される。
【数１５】
2005518707.tif 000019
【００４５】
但し、ｉ＝０，１，２であり、└ ┘はより低い整数に切り上げることを示す。
【００４６】
１チップにより拡張される２５５チップ系列のための短いスクランブル系列生成元の実施は、図５に示される。アップリンクＤＰＣＣＨ／ＤＰＤＣＨのスクランブルに使用されるコードは、長いタイプまたは短いタイプであってもよい。スクランブルコードが形成されると、以下に定義されるように異なる構成要素であるコードが長いタイプおよび短いタイプに使用される。最も低いインデックスが時間的に最初に送信されるチップに相当する長いスクランブルコードを使用するとき、Ｓdpch,nとして示される、ＤＰＣＣＨ／ＤＰＤＣＨに対するｎ番目のアップリンクスクランブルコードは以下のように定義される。Ｓdpch,nとして示される、ＤＰＣＣＨ／ＤＰＤＣＨに対するｎ番目のアップリンクスクランブルコードは
【数１６】
2005518707.tif 000020
【００４７】
のように定義される。最も低いインデックスが時間的に最初に送信されるチップに相当する短いスクランブルコードを使用するとき、Ｓdpch,nとして示される、ＤＰＣＣＨ／ＤＰＤＣＨの対するｎ番目のアップリンクスクランブルコードは
【数１７】
2005518707.tif 000021
【００４８】
のように定義される。パケット化データ通信をサポートする高速データシステムにおいて、高速専用物理制御チャネル（ＨＳ−ＤＰＣＣＨ）をアップリンク送信のために使用してもよい。そのような専用チャネル上の送信された信号のピーク対平均比（ＰＡＲ）を最小にすることが望ましい。所定の通信システムの構成およびコーディングに応じて、ＰＡＥは、非常に大きくなってもよい。ピーク電力は、送信の有効距離における低減を生じる設計限界または規制限界を設けてもよいことに留意する必要がある。これは、バッテリー電力の維持が主要な考慮すべき事項である移動アプリケーションにおいて特に重大である。さらに、そのような制約は、最適状態に及ばない電力アンプライア(amplier)動作、すなわち、電力が最も効率よく変換される所望の圧密点(compression point)を下回る動作を生じるかもしれない。最終的な結果は、増大する費用と非効率なリソースの割り当てである。それゆえ、高いＰＡＲは、通信システムに対して重大な欠点を呈示するかもしれない。
【００４９】
これらのおよび他の問題を克服するために、典型的な実施の形態は、ＰＡＲを最小化する構成として、ＤＰＣＣＨのような専用チャネルパラメータの最適な送信構成を決定する。この方法は、送信ブランチ(branch)および拡散コードから構成される送信対を決定する。ＤＰＣＣＨは、ＩブランチまたはＱブランチにマッピングしてもよい。所定の通信システムにおいて、所定のコードは、各ブランチ上で異なるように実行してもよい。この決定は、オフラインで実行してもよく、またはシステムをイニシャライズするためにデフォルト送信対を使用し、送信対の決定が動作中に再び取り上げられる動作中に決定してもよい。
【００５０】
図６は、変調パス、すなわちＩブランチまたはＱブランチ、および拡散コードを含む送信対を選択するための方法を図解する。プロセス６００は最適送信対が決定されるステップ６０２において始まる。典型的な実施の形態において、この決定は、結果として生じるＰＡＲ値にもとづく。ＰＡＲ値は、以下に詳細に記載するように、オフラインシミュレーションで記載してもよい。最適送信対が決定されると、判断ひしがたに続き、選択されたコードがアップリンク上のその他のチャネルにより使用されるかどうかを判断する。さもなければ、コードが使用中でなければ、プロセスはステップ６０８に続き、アップリンク上のフィードバック情報の送信のために変調パスを適用する。さもなければ、プロセスはステップ６０６に続き、次の最適な送信対を決定する。従って、この送信対は、ステップ６０８において、アップリンク上のフィードバック情報の送信に適用される。それぞれ個別に他の基準を用いて最適な送信対、または送信ブランチまたはコードを決定してもよい。
【００５１】
最適な送信ブランチおよびコード対を決定するために実行されるシミュレーションにおいて、Ｃｈｉｐｘ４波形は、ランダム拡散系列でアップリンク上で実施される。さらに、ヘテロダイン位相シフトキーイング（ＨＰＳＫ）が変調のために使用され、ＲＲＣ０．２２パルス整形が適用される。ＤＰＤＣＨは０、１２．２、６４および／または３８４ｋｂｐｓで動作する。アクノレッジ／ネガティブアクノレッジ（ＡＣＫ／ＮＡＣＫ）送信は
ＨＳ−ＤＰＣＣＨ上に仮定される。ＰＡＲはＩまたはＱブランチ上にマッピングされるＨＳ−ＤＰＣＣＨおよびすべてのＳＦ＝２５６チャネル化コードに対して測定される。
【００５２】
シミュレーションの結果は、種々の構成の場合について図７Ａ及至７Ｈに図解される。以下の表３は、各シミュレーション結果に対する条件を詳述する。
【表３】
2005518707.tif 000022
【００５３】
結果の解析は以下の観測結果を提供する。ＨＳ−ＤＰＣＣＨがＩブランチにマッピングされると、最適コードは、ｃ２５６、ｉ、ｉ＝０及至３であるように思われる。ＨＳ−ＤＰＣＣＨがＱブランチにマッピングされると、最適コードは、ｃ２５６、６４であるように思われる。６４ｋｂｐｓにおいて、ＨＳ−ＤＰＣＣＨをＱブランチ上にマッピングすると、Ｉブランチ上にマッピングした場合に比べてＰＡＲにおいて、１．３ｄＢ改良される。利得は、１２．２ｋｂｐｓの場合および３８４ｋｂｐｓの場合０．８ｄＢである。０ｋｂｐｓにおいて、Ｑブランチ上にＨＳ−ＤＰＣＣＨをマッピングすると、Ｑブランチ上にマッピングする場合に比べてＰＡＲにおいて、０．８ｄＢ劣化する。６４以上のコードインデックスは考えられるＲ９９ＤＰＣＨコードアロケーションと重複する。
【００５４】
Ｒ９９ＤＰＤＣＨコードツリーとの多少の重複の可能性を考えたとしても、Ｑブランチ上にＨＳ−ＤＰＣＣＨをマッピングすることに関連する利得は重要である。使用されるＤＰＤＣＨの数の関数であるダイナミックマッピングスキームと対照的に、典型的な実施の形態において、ノードＢには先験的にブランチおよびコード情報が備わっている。これは、ダイナミックアップリンクマッピングに関連するいかなる問題も回避する。
【００５５】
シミュレーション結果は、Ｑブランチ上にコードの重複が無いとき、Ｑブランチマッピングを使用してもよいことを示唆している。同様に、そうでなければ、Ｉブランチマッピングを使用してもよい。特に、シミュレーション結果は、ＨＳ−ＤＰＣＣＨの場合に以下のマッピングを示唆する。
【００５６】
１．ＴＦＣがＴＦＣＳでないとき、チャネル化コードｃ２５６、６４を有するＱブランチは２以上のＤＰＤＣＨチャネル化コードの送信を意味する。
【００５７】
２．さもなければ、チャネル化コードｃ２５６、ｉ、ｉ＝｛０...３｝
図８は上に詳述したようなチャネル構成を実施するための装置を図解する。利用可能なコード、すなわち、他の物理チャネルによって使用されないコードは、最適コードを決定するために、送信対選択装置７０２に供給される。さらに、ＰＡＲ解析情報は送信対選択装置７０２に供給される。この装置は、専用チャネルを処理する変調パスを決定する。変調パスまたはブランチは、セレクター７０４に対する制御として供給される。セレクター７０４は、またＤＰＣＣＨ信号も受信する。この信号は、送信対選択装置７０２からの制御信号に応答してＩブランチまたはＱブランチに送られる。
【００５８】
送信対選択装置７０２はまた決定されたコードを決定された変調パスに供給する。Ｉパスが選択されると、送信対選択装置７０２は対応するコードを乗算器７０６に供給する。Ｑパスが選択されると、送信対選択装置７０２は、対応するコードを乗算器７０８に供給する。次に、結果が適当なパスに送られる。
【００５９】
典型的な実施の形態は、専用チャネルの、ＰＡＲを最小化すること、またはチャネル条件を最適化することにもとづく送信構成を決定するための方法および装置を提供する。典型的な実施の形態において、マッピングは、変調パス、すなわちＩブランチまたはＱブランチならびに、チャネルに対して最適な性能を生じるコードに対して選択される。最適コードが利用できないとき、システムは次の最適なコードを選択する。
【００６０】
当業者は、情報及び信号が多岐に渡る様々な技術及び技法のいずれかを使用して表現されてよいことを理解するだろう。例えば、前記説明を通して参照されてよいデータ、命令、コマンド、情報、信号、ビット、記号及びチップは、電圧、電流、電磁波、磁場または磁性粒子、光学場または光学粒子、またはその任意の組み合わせによって表現されてよい。
【００６１】
当業者はさらに、ここに開示した実施の形態に関連して記載した種々の実例となる論理ブロック、モジュール、回路、およびアルゴリズムステップは、電子ハードウエア、コンピュータソフトウエアまたは両方の組合せで実施してもよいことを理解するであろう。このハードウエアとソフトウエアの互換性を明瞭に説明するために、種々の実例となる部品、ブロック、モジュール、回路、およびステップが一般にそれらの機能性の観点から上に記載された。そのような機能性がハードウエアまたはソフトウエアとして実現されるかは特定のアプリケーションおよび全体のシステムに課せられた設計制約に依存する。熟達した職人は、各特定のアプリケーションに対して記載した機能性を変形した方法で実施することができるが、そのような実施の判断は、この発明の範囲を逸脱するものとして解釈されるべきでない。
【００６２】
ここに開示された実施の形態に関連して記載された種々の実例となる論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理装置、ディスクリートゲートまたはトランジスタロジック、ディスクリートハードウエアコンポーネント、またはここに記載した機能を実行するように設計されたいずれかの組合せを用いて実施または実行してもよい。汎用プロセッサは、マイクロプロセッサであってよいが、別の方法では、プロセッサは、いずれかの一般的なプロセッサ、コントローラ、マイクロコントローラ、またはステートマシンであってよい。プロセッサはまた、計算装置の組合せとしても実施できる。例えば、ＤＳＰとマイクロプロセッサの組合せ、複数のマイクロプロセッサ、ＤＳＰコアと協力した１つ以上のマイクロプロセッサまたはいずれかの他のそのような構成として実施してもよい。
【００６３】
ここに開示された実施の形態に関連して記載された方法またはアルゴリズムのステップは、ハードウエアにおいて、プロセッサにより実行されるソフトウエアモジュールにおいて、または両者の組合せにおいて直接具現化してもよい。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能ディスク、ＣＤ−ＲＯＭ、または技術的に知られているその他のいずれかの形態の記憶媒体に常駐してもよい。例示記憶媒体は、プロセッサに接続される。そのようなプロセッサは記憶媒体から情報を読み出し、記憶媒体に情報を書き込むことができる。別の方法では、記憶媒体は、プロセッサに集積可能である。プロセッサと記憶媒体はＡＳＩＣに存在してもよい。ＡＳＩＣはユーザ端末に存在してもよい。別の方法では、プロセッサと記憶媒体はユーザ端末内のディスクリートコンポーネントとして存在してもよい。
【００６４】
好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示した実施の形態に限定されることを意図したものではなく、ここに開示した原理と新規な特徴に一致する最も広い範囲が許容されるべきである。
【００６５】
好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示した実施の形態に限定されることを意図したものではなく、ここに開示した原理と新規な特徴に一致する最も広い範囲が許容されるべきである。
【図面の簡単な説明】
【００６６】
【図１】図１は、無線通信システムの図である。
【図２】図２は、専用物理制御チャネル（ＤＰＣＣＨ）および専用物理データチャネル（ＤＰＤＣＨｓ）のアップリンク拡散の図である。
【図３】図３は、直交可変拡散因子（ＯＶＳＦ）コードの発生のためのコードツリーの図である。
【図４】図４は、アップリンクスクランブル系列発生器の図である。
【図５】図５は、２５５チップ系列のためのアップリンクショートスクランブル系列発生器の図である。
【図６】図６は、専用チャネルのための変調パスおよび拡散コードの送信対を選択する方法のフロー図である。
【図７Ａ】図７Ａは、専用チャネルの種々の伝送構成から、チャネル上のＰＡＲを最小にするための最適な伝送構成を決定するためのシミュレーション結果を図解する。
【図７Ｂ】図７Ｂは、専用チャネルの種々の伝送構成から、チャネル上のＰＡＲを最小にするための最適な伝送構成を決定するためのシミュレーション結果を図解する。
【図７Ｃ】図７Ｃは、専用チャネルの種々の伝送構成から、チャネル上のＰＡＲを最小にするための最適な伝送構成を決定するためのシミュレーション結果を図解する。
【図７Ｄ】図７Ｄは、専用チャネルの種々の伝送構成から、チャネル上のＰＡＲを最小にするための最適な伝送構成を決定するためのシミュレーション結果を図解する。
【図７Ｅ】図７Ｅは、専用チャネルの種々の伝送構成から、チャネル上のＰＡＲを最小にするための最適な伝送構成を決定するためのシミュレーション結果を図解する。
【図７Ｆ】図７Ｆは、専用チャネルの種々の伝送構成から、チャネル上のＰＡＲを最小にするための最適な伝送構成を決定するためのシミュレーション結果を図解する。
【図７Ｇ】図７Ｇは、専用チャネルの種々の伝送構成から、チャネル上のＰＡＲを最小にするための最適な伝送構成を決定するためのシミュレーション結果を図解する。
【図７Ｈ】図７Ｈは、専用チャネルの種々の伝送構成から、チャネル上のＰＡＲを最小にするための最適な伝送構成を決定するためのシミュレーション結果を図解する。
【図８】図８は、最適な伝送対を決定するための通信システムにおける装置である。
【図１】
2005518707.tif 000023
【図２】
2005518707.tif 000024
【図３】
2005518707.tif 000025
【図４】
2005518707.tif 000026
【図５】
2005518707.tif 000027
【図６】
2005518707.tif 000028
【図７Ａ】
2005518707.tif 000029
【図７Ｂ】
2005518707.tif 000030
【図７Ｃ】
2005518707.tif 000031
【図７Ｄ】
2005518707.tif 000032
【図７Ｅ】
2005518707.tif 000033
【図７Ｆ】
2005518707.tif 000034
【図７Ｇ】
2005518707.tif 000035
【図７Ｈ】
2005518707.tif 000036
【図８】
2005518707.tif 000037
【国際調査報告】
2005518707.tif 000038
2005518707.tif 000039